(57)【要約】【課題】主に、曲線分岐用管部材の直管部に対して分岐継手を取付けられるようにする。【解決手段】直管部１４と曲管部１５とを一体に有してケーブル保護管３の曲線部分に設置される曲線分岐用管部材１３の直管部１４に対して、曲線分岐管用取付面部３１の軸線方向の長さが、配管支持部材取付代３３と、分岐継手取付用作業スペース３４と、配管接続用飲込代３５とを引いた取付可能長さ３６よりも短くなり、内方突出縁部２６の軸線方向の突出部設置長さ３７と、内方突出縁部２６の外周に必要な接着代３８と、各接着代３８の外側に確保すべき余裕代３９とを足した取付必要長さ４１よりも長くなるよう構成している。【選択図】図１
2013177918.tif 000002
【特許請求の範囲】
【請求項１】
ケーブル保護管の側面に当接可能な部分円筒面状の取付面部と、該取付面部から斜め外方へ向けて突設された分岐管部と、該分岐管部の取付面部側開口部の縁部を取囲むように前記取付面部の内面に突設されて、前記ケーブル保護管に形成される分岐用開口部内へ挿入配置可能な内方突出縁部とを有する分岐継手において、
前記直管部と曲管部とを一体に有してケーブル保護管の曲線部分に設置される曲線分岐用管部材の、前記直管部に対して取付可能な曲線分岐管用取付面部を設け、
該曲線分岐管用取付面部の軸線方向の長さが、配管支持部材取付代と、分岐継手取付用作業スペースと、配管接続用飲込代とを引いた取付可能長さよりも短くなり、
前記内方突出縁部の軸線方向の突出部設置長さと、前記内方突出縁部の外周に必要な接着代と、各接着代の外側に確保すべき余裕代とを足した取付必要長さよりも長くなるよう構成されたことを特徴とする分岐継手。
【請求項２】
前記内方突出縁部を、全周に亘って限度幅以下の幅寸法を有する狭幅縁部としたことを特徴とする請求項１記載の分岐継手。
【請求項３】
前記曲線分岐管用取付面部に対して分岐管部が鈍角状に分岐する鈍角側部分の内面に、前記分岐管部の内面と前記曲線分岐管用取付面部の内面とが滑らかに連続する内面間連続曲面部を形成すると共に、
該内面間連続曲面部上に位置する前記内方突出縁部の内周部に、前記内面間連続曲面部に対して９０度よりも小さい角度を有して傾斜する傾斜面部を形成したことを特徴とする請求項１または請求項２記載の分岐継手。
【請求項４】
前記曲線分岐管用取付面部に対して分岐管部が鋭角状に分岐する鋭角側部分に位置する内方突出縁部の外周部に、外周切欠部を形成したことを特徴とする請求項１ないし請求項３のいずれか１項に記載の分岐継手。
【請求項５】
前記曲線分岐管用取付面部に対して分岐管部が鋭角状に分岐する鋭角側部分に位置する内方突出縁部の内周部に、内周切欠部を形成したことを特徴とする請求項１ないし請求項４のいずれか１項に記載の分岐継手。
【発明の詳細な説明】
【技術分野】
【０００１】
この発明は、分岐継手に関するものである。
【背景技術】
【０００２】
近年、図５に示すように、電力ケーブルや通信ケーブルなどのケーブル類１を地中２に埋設することが進められている。
【０００３】
このように、ケーブル類１を地中２に埋設することにより、地上から電線や電柱などをなくすことができるようになるため、歩行空間のバリアフリー化や、良好な住環境の整備や、歴史的街並みの保全などを図ることが可能となる。
【０００４】
そして、上記したケーブル類１は、ケーブル保護管３の内部に収容された状態で地中２に埋設されることになる。
【０００５】
このような、ケーブル保護管３は、後から接続先を増やすことができるようにするために、分岐可能なものであることが必要とされる。ケーブル保護管３の分岐には、分岐継手４が用いられる（例えば、特許文献１参照）。
【０００６】
従来の分岐継手４は、図６に示すように、ケーブル保護管３の側面に当接可能な部分円筒面状の取付面部５と、この取付面部５から斜め外方へ向けて突設された分岐管部６と、この分岐管部６の取付面部側開口部７の縁部を取囲むように取付面部５の内面に突設されて、ケーブル保護管３に形成される分岐用開口部８内へ挿入配置可能な内方突出縁部９とを有するものとされる。
【０００７】
この内方突出縁部９は、ケーブル保護管３の肉厚とほぼ同じかまたはそれよりも高い突出高さを有するものとされる。
【０００８】
そして、図７（ａ）に示すように、分岐継手４の鈍角側部分には、分岐管部６の内面と、内方突出縁部９の頂部との間を、滑らかに連続する内面−頂部間連続曲面部１１が形成されている。そのために、内方突出縁部９は、鈍角側部分が、他の部分と比べて、ケーブル保護管３の軸線方向に対して極端に広幅なものとなっている。
【０００９】
また、図７（ｂ）に示すように、分岐継手４の鋭角側部分は、内方突出縁部９が、厚肉状の玉縁部１２とされている。
【先行技術文献】
【特許文献】
【００１０】
【特許文献１】特開２００７−５１７２６号公報
【発明の概要】
【発明が解決しようとする課題】
【００１１】
上記したケーブル保護管３は、全ての経路を直線部分のみによって構成することができないので、途中に方向変更などのための曲線部分を設ける必要がある。そして、このような曲線部分についてもケーブル類１を分岐できるようにする必要がある。
【００１２】
そのために、ケーブル保護管３には、図８に示すような、曲線分岐用管部材１３が、予め用意されている。この曲線分岐用管部材１３は、分岐継手４を取付けるための直管部１４と、この直管部１４によってケーブル保護管３の曲線部分から外れた経路を軌道修整するための曲管部１５とを一体に有するものとされている。ケーブル保護管３の直管部１４側の端部は、ケーブル保護管３を構成する他の管部材と接続するための配管接続用飲込部１６とされる。また、ケーブル保護管３の曲管部１５側の端部には、ケーブル保護管３を構成する別の管部材と接続するための受口部１７が設けられる。そして、直管部１４における曲管部１５との境界部分には、ケーブル保護管３を支持するための配管支持部材１８が取付けられる。
【００１３】
しかし、上記した分岐継手４は、ケーブル保護管３の直線部分に対して取付けることを前提にして作られたものであるため、充分な長さを有していない曲線分岐用管部材１３の直管部１４に対して分岐継手４を取付けるのが困難となっていた。例えば、分岐継手４が、配管支持部材１８と干渉して取付けられないなどの不具合が生じていた（干渉部１９）。
【課題を解決するための手段】
【００１４】
上記課題を解決するために、請求項１に記載された発明は、ケーブル保護管の側面に当接可能な部分円筒面状の取付面部と、該取付面部から斜め外方へ向けて突設された分岐管部と、該分岐管部の取付面部側開口部の縁部を取囲むように前記取付面部の内面に突設されて、前記ケーブル保護管に形成される分岐用開口部内へ挿入配置可能な内方突出縁部とを有する分岐継手において、前記直管部と曲管部とを一体に有してケーブル保護管の曲線部分に設置される曲線分岐用管部材の、前記直管部に対して取付可能な曲線分岐管用取付面部を設け、該曲線分岐管用取付面部の軸線方向の長さが、配管支持部材取付代と、分岐継手取付用作業スペースと、配管接続用飲込代とを引いた取付可能長さよりも短くなり、前記内方突出縁部の軸線方向の突出部設置長さと、前記内方突出縁部の外周に必要な接着代と、各接着代の外側に確保すべき余裕代とを足した取付必要長さよりも長くなるよう構成されたことを特徴としている。
【００１５】
請求項２に記載された発明は、上記において、前記内方突出縁部を、全周に亘って限度幅以下の幅寸法を有する狭幅縁部としたことを特徴としている。
【００１６】
請求項３に記載された発明は、上記において、前記曲線分岐管用取付面部に対して分岐管部が鈍角状に分岐する鈍角側部分の内面に、前記分岐管部の内面と前記曲線分岐管用取付面部の内面とが滑らかに連続する内面間連続曲面部を形成すると共に、該内面間連続曲面部上に位置する前記内方突出縁部の内周部に、前記内面間連続曲面部に対して９０度よりも小さい角度を有して傾斜する傾斜面部を形成したことを特徴としている。
【００１７】
請求項４に記載された発明は、上記において、前記曲線分岐管用取付面部に対して分岐管部が鋭角状に分岐する鋭角側部分に位置する内方突出縁部の外周部に、外周切欠部を形成したことを特徴としている。
【００１８】
請求項５に記載された発明は、上記において、前記曲線分岐管用取付面部に対して分岐管部が鋭角状に分岐する鋭角側部分に位置する内方突出縁部の内周部に、内周切欠部を形成したことを特徴としている。
【発明の効果】
【００１９】
請求項１の発明によれば、上記構成によって、以下のような作用効果を得ることができる。即ち、直管部と曲管部とを一体に有してケーブル保護管の曲線部分に設置される曲線分岐用管部材の、前記直管部に対して取付可能な曲線分岐管用取付面部を設け、該曲線分岐管用取付面部の軸線方向の長さが、配管支持部材取付代と、分岐継手取付用作業スペースと、配管接続用飲込代とを引いた取付可能長さよりも短くなり、前記内方突出縁部の軸線方向の突出部設置長さと、前記内方突出縁部の外周に必要な接着代と、各接着代の外側に確保すべき余裕代とを足した取付必要長さよりも長くなるよう構成されたことにより、充分な長さを確保することが難しい曲線分岐用管部材の直管部に対し、若干の余裕を有して分岐継手を取付けることが可能となる。また、曲線分岐管用取付面部に対する分岐継手の接着性や気密性などを確保することができる。
【００２０】
請求項２の発明によれば、上記構成によって、以下のような作用効果を得ることができる。即ち、前記内方突出縁部を、全周に亘って限度幅以下の幅寸法を有する狭幅縁部としたことにより、内方突出縁部の設置範囲を、より狭くすることが可能となる。以って、曲線分岐管用取付面部を上記した長さに納めることが可能となる。
【００２１】
請求項３の発明によれば、上記構成によって、以下のような作用効果を得ることができる。即ち、前記曲線分岐管用取付面部に対して分岐管部が鈍角状に分岐する鈍角側部分の内面に、前記分岐管部の内面と前記曲線分岐管用取付面部の内面とが滑らかに連続する内面間連続曲面部を形成すると共に、該内面間連続曲面部上に位置する前記内方突出縁部の内周部に、前記内面間連続曲面部に対して９０度よりも小さい角度を有して傾斜する傾斜面部を形成したことにより、鈍角側部分の内方突出縁部を、より無駄のない形状にすることが可能となる。以って、ケーブル保護管に形成する分岐用開口部を更に小さくして、その分だけ、曲線分岐管用取付面部を小型軽量化し、より有利にケーブル保護管に分岐継手を取付けることができるようになる。この際、内方突出縁部の内周部に傾斜面部を設けることにより、分岐管部に通されるケーブル類が損傷するのを防止することが可能となる。
【００２２】
請求項４の発明によれば、上記構成によって、以下のような作用効果を得ることができる。即ち、前記曲線分岐管用取付面部に対して分岐管部が鋭角状に分岐する鋭角側部分に位置する内方突出縁部の外周部に、外周切欠部を形成したことにより、鋭角側部分の内方突出縁部を、より無駄のない形状にすることが可能となる。以って、ケーブル保護管に形成する分岐用開口部を更に小さくして、その分だけ、曲線分岐管用取付面部を小型軽量化し、より有利にケーブル保護管に分岐継手を取付けることができるようになる。
【００２３】
請求項５の発明によれば、上記構成によって、以下のような作用効果を得ることができる。即ち、前記曲線分岐管用取付面部に対して分岐管部が鋭角状に分岐する鋭角側部分に位置する内方突出縁部の内周部に、内周切欠部を形成したことにより、鋭角側部分の内方突出縁部を、より無駄のない形状にすることが可能となる。以って、曲線分岐管用取付面部を、より小型軽量化することができるようになる。この際、分岐管部に通されるケーブル類は、鋭角側部分の上記内周切欠部の内周部に接触することがほとんどないため、ケーブル類１の損傷を考慮することなく、必要な強度が確保できる範囲内で大きな内周切欠部を設けることができる。
【図面の簡単な説明】
【００２４】
【図１】本発明の実施例にかかる分岐継手を曲線分岐用管部材に取付けた状態を示す側面図である。
【図２】図１の側方断面図である。
【図３】（ａ）は図２のＡ部の拡大図、（ｂ）は図２のＢ部の拡大図である。
【図４】本発明の分岐継手の気密試験を行なった気密試験装置を示す図である。
【図５】ケーブル類を地中に埋設する状態を示す図である。
【図６】従来例にかかる分岐継手の側方断面図である。
【図７】（ａ）は図６のＣ部の拡大図、（ｂ）は図６のＤ部の拡大図である。
【図８】図６の分岐継手を曲線分岐用管部材に取付ける状態を示す側面図である。
【発明を実施するための形態】
【００２５】
以下、本実施の形態を具体化した実施例を、図面を用いて詳細に説明する。
【００２６】
図１〜図４は、この実施例を示すものである。
【実施例】
【００２７】
＜構成＞
以下、構成について説明する。
【００２８】
図１〜図３に示すように、電力ケーブルや通信ケーブルなどのケーブル類を地中に埋設するためのケーブル保護管３を分岐可能な分岐継手２１を設ける。
【００２９】
この分岐継手２１は、ケーブル保護管３の側面に当接可能な部分円筒面状の取付面部２２と、この取付面部２２から斜め外方へ向けて突設された分岐管部２３と、この分岐管部２３の取付面部側開口部２４の縁部を取囲むように取付面部２２の内面に突設されてケーブル保護管３に形成される分岐用開口部８内へ挿入配置可能な内方突出縁部２６とを一体に有するものとされる（図２参照）。
【００３０】
この内方突出縁部２６は、ケーブル保護管３の肉厚とほぼ同じかまたはそれよりも高い突出高さを有するものとされる。
【００３１】
そして、以上のような基本構成に対し、この実施例のものでは、以下のような構成を備えるようにしている。
【００３２】
（構成１）
上記した取付面部２２として、図１に示すような、直管部１４と曲管部１５とを一体に有してケーブル保護管３の曲線部分に設置される曲線分岐用管部材１３の、直管部１４に対して取付可能な曲線分岐管用取付面部３１を設ける。
【００３３】
そして、この曲線分岐管用取付面部３１の軸線方向の長さが、直管部１４の軸線方向の長さから、配管支持部材取付代３３と、分岐継手取付用作業スペース３４と、配管接続用飲込代３５とを引いた取付可能長さ３６とほぼ同じかそれよりも短くなるようにする。
【００３４】
また、図２に示すように、曲線分岐管用取付面部３１が、内方突出縁部２６の軸線方向の突出部設置長さ３７と、内方突出縁部２６の外周に必要な接着代３８と、各接着代３８の外側に確保すべき余裕代３９とを足した取付必要長さ４１と同じかそれよりも長くなるようにする。
【００３５】
（補足説明１）
ここで、図１に示すように、上記した曲線分岐用管部材１３の直管部１４は、分岐継手２１を取付けるものなどとされる。また、曲管部１５は、直管部１４によってケーブル保護管３の曲線部分から外れた経路を軌道修整するためのものである。
【００３６】
ケーブル保護管３の直管部１４側の端部は、ケーブル保護管３を構成する他の管部材と接続するための配管接続用飲込部１６とされる。また、ケーブル保護管３の曲管部１５側の端部には、ケーブル保護管３を構成する別の管部材と接続するための受口部１７が設けられる。そして、直管部１４における曲管部１５との境界部分には、ケーブル保護管３を支持するための配管支持部材１８が取付けられる。
【００３７】
そして、上記した配管支持部材取付代３３は、文字通り、直管部１４に配管支持部材１８を取付けるための取付代である。配管支持部材取付代３３は、配管支持部材１８の厚みであり、ほぼ５０ｍｍ〜１００ｍｍ程度のものとなる。
【００３８】
分岐継手取付用作業スペース３４は、文字通り、分岐継手２１を取付けるために必要な作業スペースである。分岐継手取付用作業スペース３４は、概ね２０ｍｍ〜５０ｍｍ程度のものとなる。
【００３９】
配管接続用飲込代３５は、文字通り、隣接する配管部材に直管部１４を接続するための飲込代である。
【００４０】
また、上記した内方突出縁部２６の軸線方向の突出部設置長さ３７は、文字通り、内方突出縁部２６の軸線方向に対する設置範囲の長さのことである。この突出部設置長さ３７は、後述するようにして設定される。
【００４１】
上記した内方突出縁部２６の外周に必要な接着代３８は、文字通り、取付面部２２（曲線分岐管用取付面部３１）の、ケーブル保護管３（曲線分岐用管部材１３の直管部１４）に対する接着面の幅寸法である。
【００４２】
上記した余裕代３９は、文字通り、上記した接着代３８による接着を確実に行わせるために必要な余裕スペースの幅寸法である。
【００４３】
図４は、上記した接着代３８の大きさを求めるために気密試験を行った気密試験装置４３を示すものである。この気密試験装置４３は、分岐継手２１を接着したケーブル保護管３（の試験片）の各開口部を密閉栓４４でそれぞれ密閉した状態で保持可能なフレーム４５と、密閉栓４４の１つを通してケーブル保護管３（の試験片）の内部へ空気供給源４６からの圧縮空気を送給可能な空気供給用ホース４７と、空気供給用ホース４７の途中に設けられた圧力計４８および開閉弁４９とを有するものである。
【００４４】
上記した気密試験装置４３による気密試験の結果、分岐用開口部８の両側の接着代３８は、管径に拠るのではなく、接着剤の性能によって決められるものであることが確認された。そして、使用される接着剤による接着代３８は、ほぼ２０ｍｍなどであった。
【００４５】
余裕代３９は、広過ぎず且つ狭過ぎない最適な大きさとするのが好ましい。この場合、施工実験を行なった結果、接着代３８とほぼ同じ長さまたは幅などがあれば充分であった。よって、余裕代３９は、例えば、ほぼ２０ｍｍ程度（２０ｍｍ±１０ｍｍ）などに設定する。
【００４６】
なお、接着代３８を明確にするために、曲線分岐管用取付面部３１の裏面側に対して、内方突出縁部２６の外周を取囲むように、接着代３８の外周部を明示的に表すための範囲指定線部５０などを設けるようにしても良い。この範囲指定線部５０は、分岐継手２１を成形する際に、一体に形成されるものとすることができる。この範囲指定線部５０は、接着の妨げとならないよう、肉眼で確認可能な程度の極く僅かな痕跡のようなもの（１ｍｍ程度以下の深さや高さを有する僅少な凹溝や凸状）であれば充分である。
【００４７】
なお、上記した取付必要長さ４１は、上記した取付可能長さ３６よりも短くなるようにする（取付必要長さ４１＜取付可能長さ３６）。
【００４８】
（構成２）
そして、上記した内方突出縁部２６を、全周に亘って限度幅以下の幅寸法を有する狭幅縁部５１とする。
【００４９】
（補足説明２）
ここで、限度幅以下の幅寸法とは、機能上、および、設計上必要とされる最低限の幅寸法に僅かの余裕幅を持たせたものである。より具体的には、曲線分岐管用取付面部３１の通常肉厚のおよそ３倍程度以下（０．５倍〜３倍程度）の幅寸法などとされる。これは、０．５倍未満にすると、内方突出縁部２６の強度確保が難しくなると共に、３倍程度より大きくすると、内方突出縁部２６の軸線方向の突出部設置長さ３７が大きくなり過ぎて、曲線分岐用管部材１３の直管部１４に取り付けるのには適さなくなることによる。
【００５０】
なお、この場合には、内方突出縁部２６は、全周に亘って均一幅にするのが好ましいが、幅寸法は、部分的に変動されるようにしても良い。
【００５１】
（構成３）
更に、図３（ａ）に示すように、上記した曲線分岐管用取付面部３１に対して分岐管部２３が鈍角状に分岐する鈍角側部分５２の内面に、分岐管部２３の内面と、曲線分岐管用取付面部３１の内面とが滑らかに連続する内面間連続曲面部５３を形成する。
【００５２】
そして、この内面間連続曲面部５３上に位置する内方突出縁部２６の内周部に、内面間連続曲面部５３に対して９０度よりも小さい角度を有して（図中右下がりに）傾斜する傾斜面部５４を形成する。
【００５３】
（補足説明３）
ここで、上記した内面間連続曲面部５３は、内外面間の肉厚がほぼ均一となる（均一肉厚）ように形成されるのが好ましい。内面間連続曲面部５３は、内面に、目立つ段差や形状変化のない、連続的な曲面とされる。
【００５４】
上記した傾斜面部５４は、ほぼ３０°〜６０°の範囲のものが好ましい。これは、３０°よりも小さくすると内方突出縁部２６の幅寸法が大きくなってしまい、また、６０°よりも大きくすると傾斜面部５４の両端部が角張ってしまい、ケーブル類を通す時に擦れによってケーブル類を損傷するおそれが生じることによる。この場合には、上記の中間の４５度などとしている。
【００５５】
なお、内面間連続曲面部５３と傾斜面部５４との境界部、および、傾斜面部５４と内方突出縁部２６の頂部との境界部には、角取加工やＲ加工などを施すこともできる。
【００５６】
（構成４）
図３（ｂ）に示すように、上記した曲線分岐管用取付面部３１に対して分岐管部２３が鋭角状に分岐する鋭角側部分５５に位置する内方突出縁部２６の外周部に、外周切欠部５６を形成する。
【００５７】
（補足説明４）
ここで、外周切欠部５６は、例えば、側面視Ｒ形状の凹部などとされている。但し、外周切欠部５６の形状は、これに限るものではない。例えば、段差形状部などとすることもできる。
【００５８】
（構成５）
上記した曲線分岐管用取付面部３１に対して分岐管部２３が鋭角状に分岐する鋭角側部分５５に位置する内方突出縁部２６の内周部に、内周切欠部５７を形成する。
【００５９】
（補足説明５）
ここで、内周切欠部５７は、段差形状部などとされている。但し、内周切欠部５７の形状は、これに限るものではない。例えば、側面視Ｒ形状の凹部などとすることもできる。
【００６０】
＜作用＞
以下、この実施例の作用について説明する。
【００６１】
曲線分岐用管部材１３の直管部１４に対して分岐継手２１を取付ける場合、先ず、曲線分岐用管部材１３の直管部１４に分岐用開口部８を形成する。この分岐用開口部８は、現場での加工となる。
【００６２】
より具体的には、曲線分岐用管部材１３の直管部１４に、分岐継手２１の内方突出縁部２６と同じかそれよりも若干大きな穴形状をケガキ線によって描き、このケガキ線の内側を専用工具またはホールソーなどの通常工具を用いて開削し、分岐用開口部８を形成する。
【００６３】
次に、分岐継手２１の曲線分岐管用取付面部３１内面における接着代３８の部分全体に接着剤を手塗りで塗布する。
【００６４】
そして、接着剤を塗布した分岐継手２１を、内方突出縁部２６が分岐用開口部８へ挿入され、曲線分岐管用取付面部３１が曲線分岐用管部材１３の直管部１４の側面へ当接されるようにして取付ける。
【００６５】
最後に、図示しないバンド部材を用いて、分岐継手２１を曲線分岐用管部材１３の直管部１４の外周に固縛する。
【００６６】
以上により、曲線分岐用管部材１３の直管部１４に対して分岐継手２１が、接着と固縛の両方によって取付けられる。
【００６７】
＜効果＞この実施例によれば、以下のような効果を得ることができる。
【００６８】
（効果１）
直管部１４と曲管部１５とを一体に有してケーブル保護管３の曲線部分に設置される曲線分岐用管部材１３の、直管部１４に対して取付可能な曲線分岐管用取付面部３１を設け、曲線分岐管用取付面部３１の軸線方向の長さが、配管支持部材取付代３３と、分岐継手取付用作業スペース３４と、配管接続用飲込代３５とを引いた取付可能長さ３６よりも短くなり、内方突出縁部２６の軸線方向の突出部設置長さ３７と、内方突出縁部２６の外周に必要な接着代３８と、各接着代３８の外側に確保すべき余裕代３９とを足した取付必要長さ４１よりも長くなるよう構成されたことにより、充分な長さを確保することが難しい曲線分岐用管部材１３の直管部１４に対し、若干の余裕を有して分岐継手２１を取付けることが可能となる。また、曲線分岐管用取付面部３１に対する分岐継手２１の接着性や気密性などを確保することができる。
【００６９】
（効果２）
内方突出縁部２６を、全周に亘って限度幅以下の幅寸法を有する狭幅縁部５１としたことにより、内方突出縁部２６の設置範囲を、より狭くすることが可能となる。以って、曲線分岐管用取付面部３１を上記した長さに納めることが可能となる。
【００７０】
（効果３）
曲線分岐管用取付面部３１に対して分岐管部２３が鈍角状に分岐する鈍角側部分５２の内面に、分岐管部２３の内面と曲線分岐管用取付面部３１の内面とが滑らかに連続する内面間連続曲面部５３を形成すると共に、内面間連続曲面部５３上に位置する内方突出縁部２６の内周部に、内面間連続曲面部５３に対して９０度よりも小さい角度を有して傾斜する傾斜面部５４を形成したことにより、鈍角側部分５２の内方突出縁部２６を、より無駄のない形状にすることが可能となる。以って、ケーブル保護管３に形成する分岐用開口部８を更に小さくして、その分だけ、曲線分岐管用取付面部３１を小型軽量化し、より有利にケーブル保護管３に分岐継手２１を取付けることができるようになる。
【００７１】
この際、内方突出縁部２６の内周部に傾斜面部５４を設けることにより、分岐管部２３に通されるケーブル類が損傷するのを防止することが可能となる。
【００７２】
（効果４）
曲線分岐管用取付面部３１に対して分岐管部２３が鋭角状に分岐する鋭角側部分５５に位置する内方突出縁部２６の外周部に、外周切欠部５６を形成したことにより、鋭角側部分５５の内方突出縁部２６を、より無駄のない形状にすることが可能となる。以って、ケーブル保護管３に形成する分岐用開口部８を更に小さくして、その分だけ、曲線分岐管用取付面部３１を小型軽量化し、より有利にケーブル保護管３に分岐継手２１を取付けることができるようになる。
【００７３】
（効果５）
曲線分岐管用取付面部３１に対して分岐管部２３が鋭角状に分岐する鋭角側部分５５に位置する内方突出縁部２６の内周部に、内周切欠部５７を形成したことにより、鋭角側部分５５の内方突出縁部２６を、より無駄のない形状にすることが可能となる。以って、曲線分岐管用取付面部３１を、より小型軽量化することができるようになる。
【００７４】
この際、分岐管部２３に通されるケーブル類は、鋭角側部分５５の上記内周切欠部５７の内周部に接触することがほとんどないため、ケーブル類の損傷を考慮することなく、必要な強度が確保できる範囲内で大きな内周切欠部５７を設けることができる。
【００７５】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００７６】
３    ケーブル保護管
８    分岐用開口部
１３  曲線分岐用管部材
１４  直管部
１５  曲管部
２１  分岐継手
２３  分岐管部
２４  取付面部側開口部
２６  内方突出縁部
３１  曲線分岐管用取付面部
３３  配管支持部材取付代
３４  分岐継手取付用作業スペース
３５  配管接続用飲込代
３６  取付可能長さ
３７  突出部設置長さ
３８  接着代
３９  余裕代
４１  取付必要長さ
５１  狭幅縁部
５２  鈍角側部分
５３  内面間連続曲面部
５４  傾斜面部
５５  鋭角側部分
５６  外周切欠部
５７  内周切欠部
【図１】
2013177918.tif 000003
【図２】
2013177918.tif 000004
【図３】
2013177918.tif 000005
【図４】
2013177918.tif 000006
【図５】
2013177918.tif 000007
【図６】
2013177918.tif 000008
【図７】
2013177918.tif 000009
【図８】
2013177918.tif 000010